(57)【特許請求の範囲】
【請求項１】
収容部を有する樹脂製のコネクタハウジングと、前記収容部に収容されて前記コネクタハウジングに装着されるハウジング取付部を有するとともに、回路基板の表面に沿って配置されて前記回路基板に半田付けにより接続される基板取付部を有する金属製の固定部材とを備え、前記固定部材が前記回路基板に接続されることにより、前記コネクタハウジングが前記固定部材を介して前記回路基板に固定される基板用コネクタであって、
前記ハウジング取付部は、前記収容部に係止される係止部と、この係止部よりも前記コネクタハウジング側で基板用コネクタ全体の重心位置側に配置され、前記コネクタハウジングの倒れを抑制するウェイト部とを有し、
前記コネクタハウジングは前方に開口するフード部を有し、前記フード部の幅方向両側から後方に一対の保護壁が突出して設けられ、前記両保護壁の外側部に、前記収容部が形成され、前記両保護壁間に、前記フード部から後方に突出して前記回路基板に半田接続される端子金具が配置され、前記フード部が前記回路基板の前端縁から前方に突出して配置されるようになっていることを特徴とする基板用コネクタ。
【請求項２】
前記ウェイト部が、前記係止部における前記回路基板側と反対側の端縁から前記回路基板側へ向けて折り曲げて形成されていることを特徴とする請求項１記載の基板用コネクタ。
【請求項３】
前記ウェイト部が、前記係止部における前記フード部の開口端側と反対側の端縁から前記フード部の開口端側へ向けて折り曲げて形成されていることを特徴とする請求項１又は２記載の基板用コネクタ。
【発明の詳細な説明】
【技術分野】
【０００１】
本発明は、基板用コネクタに関する。
【背景技術】
【０００２】
特許文献１に記載の基板用コネクタは、回路基板（以下、単に基板という）の表面に実装されるものであって、樹脂製のコネクタハウジングと、コネクタハウジングに取り付けられる金属製の固定部材とを備えている。コネクタハウジングの両側面には固定部材を収容可能な一対の収容部が形成されている。固定部材は、全体としてＬ字形の板状をなし、収容部に収容されるハウジング取付部と、ハウジング取付部の下端に連なり、基板に半田付けにより接続される基板装着部とからなる。コネクタハウジングは、固定部材を介して基板に固定されるようになっている。
【先行技術文献】
【特許文献】
【０００３】
【特許文献１】特開２００９−１１７１５２号公報
【発明の概要】
【発明が解決しようとする課題】
【０００４】
ところで、上記従来の基板用コネクタにおいて、固定部材の基板装着部に付着した半田が未だ硬化していない状態のときに、コネクタハウジングの前端部に異物が干渉したりすると、その干渉方向にコネクタハウジングが倒れることがあった。その結果、コネクタハウジングが基板から浮き上がり基板に適正に固定されないおそれがあった。
【０００５】
本発明は上記のような事情に基づいて完成されたものであって、固定部材が回路基板に半田付けにより接続される場合に、コネクタハウジングが回路基板に良好に固定されるようにすることを目的とする。
【課題を解決するための手段】
【０００６】
上記の目的を達成するための手段として、請求項１の発明は、収容部を有する樹脂製のコネクタハウジングと、前記収容部に収容されて前記コネクタハウジングに装着されるハウジング取付部を有するとともに、回路基板の表面に沿って配置されて前記回路基板に半田付けにより接続される基板取付部を有する金属製の固定部材とを備え、前記固定部材が前記回路基板に接続されることにより、前記コネクタハウジングが前記固定部材を介して前記回路基板に固定される基板用コネクタであって、前記ハウジング取付部は、前記収容部に係止される係止部と、この係止部よりも前記コネクタハウジング側で基板用コネクタ全体の重心位置側に配置され、前記コネクタハウジングの倒れを抑制するウェイト部とを有し、前記コネクタハウジングは前方に開口するフード部を有し、前記フード部の幅方向両側から後方に一対の保護壁が突出して設けられ、前記両保護壁の外側部に、前記収容部が形成され、前記両保護壁間に、前記フード部から後方に突出して前記回路基板に半田接続される端子金具が配置され、前記フード部が前記回路基板の前端縁から前方に突出して配置されるようになっているところに特徴を有する。
【０００７】
請求項２の発明は、請求項１に記載のものにおいて、前記ウェイト部が、前記係止部における前記回路基板側と反対側の端縁から前記回路基板側へ向けて折り曲げて形成されているところに特徴を有する。
【０００８】
請求項３の発明は、請求項１又は２に記載のものにおいて、前記ウェイト部が、前記係止部における前記フード部の開口端側と反対側の端縁から前記フード部の開口端側へ向けて折り曲げて形成されているところに特徴を有する。
【発明の効果】
【００１０】
＜請求項１の発明＞
固定部材のハウジング取付部がウェイト部を有することにより、コネクタハウジングの倒れが抑制されるため、コネクタハウジングが回路基板から浮き上がるのが防止される。その結果、コネクタハウジングが回路基板に良好に固定される。この場合において、ウェイト部は、固定部材の係止部よりもコネクタハウジング側に配置され、コネクタハウジングの重心近くに位置するため、コネクタ全体として重心の偏りが防止され、重心安定性に優れる。
【００１１】
また、フード部が回路基板の前端縁から前方に突出して配置されるため、異物が干渉すると、回路基板からフード部が転落するおそれがある。しかるに本発明によれば、ウェイト部によって回路基板からフード部が転落するのが防止される。
【００１２】
＜請求項２の発明＞
ウェイト部が係止部における回路基板側と反対側の端縁から回路基板側へ向けて折り曲げて形成されているため、重心が回路基板側に向けて位置することになり、重心安定性により優れる。
【００１３】
＜請求項３の発明＞
ウェイト部が係止部におけるフード部の開口端側（前端側）と反対側の端縁（後端縁）からフード部の開口端側へ向けて折り曲げて形成されているため、重心がフード部の開口端側と反対側に位置することになり、フード部の開口端側が倒れ込むのがより良好に防止される。
【図面の簡単な説明】
【００１４】
【図１】本発明の実施形態１に係る基板用コネクタの側面図である。
【図２】基板用コネクタの正面図である。
【図３】基板用コネクタの平面図である。
【図４】基板用コネクタの背面図である。
【図５】図４のＸ−Ｘ線断面図である。
【図６】図４のＹ−Ｙ線断面図である。
【図７】コネクタハウジングの側面図である。
【図８】コネクタハウジングの平面図である。
【図９】固定部材の側面図である。
【図１０】固定部材の正面図である。
【図１１】コネクタハウジング側から視た固定部材の側面図である。
【図１２】本発明の実施形態２に係る基板用コネクタの側面図である。
【図１３】基板用コネクタの平面図である。
【図１４】図１３のＺ−Ｚ断面図である。
【図１５】固定部材の背面図である。
【図１６】コネクタハウジング側から視た固定部材の側面図である。
【発明を実施するための形態】
【００１５】
＜実施形態１＞
本発明の実施形態１を図１ないし図１１によって説明する。実施形態１に係る基板用コネクタ１０は、回路基板（以下、単に基板９０という）の表面に実装されるものであって、コネクタハウジング２０と、固定部材６０と、端子金具５０とを備えている。
【００１６】
コネクタハウジング２０は合成樹脂製であって、図１及び図２に示すように、前方に開口する略角筒状のフード部２１を有している。フード部２１は、幅方向に長く延びる形態とされ、その奥壁２２に、図４に示すように、複数の端子金具５０が装着されている。
【００１７】
フード部２１の幅方向両端の後端部には、一対の保護壁２３が後方へ突出して形成されている。両保護壁２３は、図８に示すように、それぞれ所定厚みを有する板状の形態とされ、フード部２１の奥壁２２の後面から引き出された各端子金具５０を幅方向両側から保護する役割をはたす。図２に示すように、両保護壁２３の外側部は、フード部２１と同一高さとなる内側部２５よりも低背とされ、フード部２１の両側外面の下部から外側に突出する突部２４として構成されている。突部２４には、図３に示すように、固定部材６０のハウジング取付部６１（後述する）を収容可能な収容部２６が形成されている。
【００１８】
収容部２６は、図７及び図８に示すように、突部２４の外側面に開口するとともに、高さ方向（上下方向）に延びて突部２４の上下両面に開口する形態とされている。具体的には、収容部２６は、突部２４の高さ方向途中に形成された段差２７を境とする外側の部分において大きい前後幅をもって開口する係止部収容溝２８と、段差２７を境とする内側の部分において小さい前後幅をもって開口するウェイト部収容溝２９とからなる。係止部収容溝２８には、固定部材６０の係止部６４（後述する）が収容可能とされ、ウェイト部収容溝２９には、固定部材６０のウェイト部６５（後述する）が収容可能とされている。
【００１９】
係止部収容溝２８の溝底面は、高さ方向に沿った平坦面３１とされ、その前後方向略中央部に、ウェイト部収容溝２９が開口して形成されている。また、係止部収容溝２８の前後両端における溝側面の上端部には、一対の凹部３２が切り欠いて形成されている。両凹部３２は、平坦面３１に沿って配置され、段付き状に拡幅して突部２４の上面に開口する形態とされている。図５に示すように、両凹部３２には、上方から係止部６４の第１係止突起６６（後述する）が嵌合可能とされている。
【００２０】
凹部３２の前後上端縁には、一対の案内部３３が上方へテーパ状に拡開して形成されている。そして、ウェイト部収容溝２９の前後上端縁にも一対の案内部３３が形成されている。係止部６４及びウェイト部６５は、それぞれの案内部３３に沿って係止部収容溝２８内及びウェイト部収容溝２９内に円滑に誘い込まれるようになっている。
【００２１】
図６に示すように、ウェイト部収容溝２９の前後幅は、案内部３３を除いて、高さ方向の全長に亘って略同一とされている。また、ウェイト部収容溝２９の前後幅は、案内部３３を除いて、ウェイト部６５の前後幅にほぼ等しく、係止部収容溝２８の前後幅は、案内部３３及び凹部３２を除いて、係止部６４の前後幅にほぼ等しくされている。
【００２２】
端子金具５０は金属製であって、略角ピン状の形態とされている。そして、端子金具５０は、図２に示すように、フード部２１の奥壁２２において高さ方向及び幅方向に複数整列して配置されている。具体的には、端子金具５０は、前後方向に延びる第１延出部５１と、第１延出部５１の後端から略直角に屈曲されて下方に延びる第２延出部５２（図４を参照）と、第２延出部５２の下端から略直角に屈曲されて後方に延びる第３延出部５３（図３を参照）とからなる。第１延出部５１は、フード部２１内に突出するとともに奥壁２２を貫通してフード部２１の外部後方に引き出される形態とされている。第３延出部５３は、図３及び図４に示すように、基板９０の表面に沿って配置され、基板９０の表面に形成された図示しない導電路に半田付けにより接続される。第１延出部５１におけるフード部２１の外部後方に露出する部分、第２延出部５２、及び第３延出部５３は、両保護壁２３間に配置され、側面視において両保護壁２３によって隠蔽される。
【００２３】
固定部材６０は金属製であって、全体として板状の形態とされている。固定部材６０は、コネクタハウジング２０の両収容部２６と対応する位置に対をなして配置されている。具体的には、固定部材６０は、図９ないし図１１に示すように、略矩形状のハウジング取付部６１と、ハウジング取付部６１の下端に連なって外側（固定部材６０が収容部２６に収容された状態でコネクタハウジング２０から離れる側）に曲面状に屈曲する屈曲部６３（図１０を参照）と、屈曲部６３の下端から外側へ突出する基板取付部６２とからなる。基板取付部６２は、図１に示すように、基板９０の表面に沿って配置され、基板９０の表面に半田付けにより接続される。
【００２４】
ハウジング取付部６１は、図９ないし図１１に示すように、高さ方向に沿った平板状の係止部６４と、係止部６４の上端に一体に連なるウェイト部６５とからなる。係止部６４の上端部の前後両端には、一対ずつの第１、第２係止突起６６、６７が前後両方向に張り出して形成されている。第１係止突起６６は、略矩形状をなし、第２係止突起６７は、略台形状をなしている。そして、第１係止突起６６のほうが第２係止突起６７よりも上方に配置されている。
【００２５】
ウェイト部６５は、帯板状をなし、図１０に示すように、係止部６４の上端からいったん立ち上がったあと内側（固定部材６０が収容部２６に収容された状態でコネクタハウジング２０寄りに位置する側）へ略Ｕ字状に折り曲げられて下方に延びる形態とされている。ウェイト部６５の下端の厚み方向両端部には一対の面取り部６８が切り欠いて形成されている。ウェイト部６５の下端は両面取り部６８によって先細り状の形態とされている。ウェイト部６５の下端は係止部６４の高さ方向途中に位置している。また、ウェイト部６５は、図１１に示すように、係止部６４より前後幅を小さくして形成され、係止部６４の上端における前後方向略中央部に配置されている。そして、ウェイト部６５の前後幅は、延び方向の全長に亘って略同一とされている。
【００２６】
次に、本実施形態に係る基板用コネクタ１０の作用を説明する。
コネクタハウジング２０の両収容部２６に固定部材６０のハウジング取付部６１が装着される。ハウジング取付部６１は収容部２６に上方から差し込まれ、係止部６４が係止部収容溝２８内に挿入されるとともに、それとほぼ同時にウェイト部６５がウェイト部収容溝２９内に挿入される。挿入の過程では、係止部６４の前後両端が係止部収容溝２８の溝側面を摺動するとともに、ウェイト部６５の前後両端がウェイト部収容溝２９の溝側面を摺動し、これによってハウジング取付溝６１の装着動作が案内される。
【００２７】
ハウジング取付部６１が収容部２６に正規深さで装着されると、図５に示すように、第１係止突起６６が凹部３２内に当て止め状態で嵌合されるとともに、第２係止突起６７が係止部収容溝２８の溝側面に食い込み状態で係止される。これにより、ハウジング取付部６１が収容部２６内に位置決めして抜け止め保持される。また、ハウジング取付部６１が収容部２６に正規深さで装着されると、図６に示すように、ウェイト部６５の前後両端がウェイト部収容溝２９の溝側面に当接可能に配置され、ウェイト部６５の位置決めがなされる。なお、基板用コネクタ１０全体の重心は、コネクタハウジング２０に両固定部材６０及び各端子金具５０が装着された状態で、基板用コネクタ１０の幅方向中央部でかつ前後方向中央部よりも後方に位置し、前後方向についてウェイト部６５とほぼ同位置で、かつウェイト部６５の近傍に位置している。
【００２８】
続いて、基板９０の所定位置に基板用コネクタ１０が載置される。すると、両固定部材６０の基板取付部６２及び各端子金具５０の第３延出部５３が基板９０の表面上における半田ペーストの塗布領域に載置される。このとき、フード部２１は基板９０の前端縁から前方に突出して配置される。このため、フード部２１の前端部に上方から異物が干渉すると、コネクタハウジング２０が前倒れして基板９０から転落するおそれがある。しかるに実施形態１によれば、基板用コネクタ１０の重心が基板９０上に位置し、しかもウェイト部６５の加重によって重心が安定していることにより、フード部２１の前端部が基板９０から転倒するのが防止される。
【００２９】
次いで、基板９０に載置された基板用コネクタ１０は図示しないリフロー炉内に通される。すると、半田ペーストが溶融して両固定部材６０の基板取付部６２及び各端子金具５０の第３延出部５３に付着される。そして、基板用コネクタ１０がリフロー炉から取り出され、半田が固化されることにより、基板取付部６２及び第３延出部５３が基板９０に接続される。コネクタハウジング２０は基板取付部６２を介して基板９０の表面に固定される。その後、基板９０は図示しないケース内に挿入され、続いてケース内に導入されるポッティング材によって基板９０周りが樹脂封止される。このとき、フード部２１は、ケースの開口部から外部に突出して配置され、その状態で、図示しない相手コネクタハウジングと嵌合される。
【００３０】
以上説明したように実施形態１によれば、固定部材６０のハウジング取付部６１がウェイト部６５を有することにより、コネクタハウジング２０の倒れが抑制されるため、半田が硬化するまでの間、コネクタハウジング２０が基板９０から浮き上がるのが防止される。その結果、コネクタハウジング２０が基板９０に良好に固定される。この場合において、ウェイト部６５は、固定部材６０の係止部６４よりもコネクタハウジング２０側に配置され、コネクタハウジング２０の重心近くに位置するため、コネクタ全体として重心の偏りが防止され、重心安定性に優れる。
【００３１】
とりわけ、フード部２１が基板９０の前端縁から外側に突出して配置されるため、フード部２１の前端部に異物が干渉すると、基板９０からコネクタハウジング２０が転落するおそれがあるが、本実施形態によれば、ウェイト部６５によって基板９０からコネクタハウジング２０が転落するのが良好に防止される。
【００３２】
また、ウェイト部６５が係止部６４における基板９０側と反対側の端縁となる上端縁から基板９０側となる下方へ向けて折り曲げて形成されているため、重心が基板９０側に向けて位置することになり、重心安定性により優れる。
【００３３】
＜実施形態２＞
本発明の実施形態２を図１２ないし図１６によって説明する。実施形態２に係る基板用コネクタ１０Ａでは、収容部２６Ａ及びウェイト部６５Ａの形態が実施形態１とは異なるが、その他の形態は実施形態１と同様である。したがって、実施形態２において、実施形態１と同様の構成には同一符号を付し、重複する説明は省略する。
【００３４】
両保護壁２３Ａの外側部には、図１２ないし図１４に示すように、突部２４Ａが形成されている。突部２４Ａは、実施形態１と同様、フード部２１の両側外面の下部から外側に突出する形態とされている。突部２４Ａの上面は、保護壁２３Ａの前後方向の全長に亘って略同一高さで略水平に連なっている。そして、突部２４Ａの上面には、固定部材６０Ａのウェイト部６５Ａが上方から当接可能な受け面３９が形成されている。
【００３５】
突部２４Ａの高さ方向途中には段差２７Ａが形成され、段差２７Ａを境とする外側の部分には係止部収容溝２８が形成されている。突部２４Ａにおける段差２７Ａを境とする内側の部分には、実施形態１と異なり、ウェイト部収容溝２９は形成されておらず、係止部収容溝２８の溝底面（平坦面３１）にはウェイト部収容溝２９が開口していない。係止部収容溝２８の形態は実施形態１と同様である。なお、実施形態２の場合、収容部２６Ａは、係止部収容溝２８と受け面３９とで構成されている。
【００３６】
ウェイト部６５Ａは、帯板状をなし、係止部６４の上端全長から上方へ立ち上がる増設部６９と、増設部６９の後側（フード部２１の開口端側と反対側）の端縁から後方へ突出したあと内側（固定部材６０Ａが収容部２６Ａに収容された状態でコネクタハウジング２０寄りに位置する側）へ略Ｕ字状に折り曲げられて前方へ延びる延長部７１とからなる。増設部６９は延長部７１に連なる後側で第１係止突起６６と高さ方向に段差無く連なっている。延長部７１の前端は、係止部６４の前端と略同一位置に達している。また、延長部６５の前端の厚み方向両端部には一対の面取り部６８Ａが切り欠いて形成され、これによって延長部７１の前端が先細り状の形態になっている。
【００３７】
ここで、固定部材６０Ａの組み付けに際し、係止部６４が係止部収容溝２８に上方から挿入される。すると、実施形態１と同様、第１、第２係止突起６６、６７の係止作用によって係止部６４が係止部収容溝２８内に位置決めして抜け止め保持される。一方、ウェイト部６５Ａの延長部７１の下端が突部２４Ａの受け面３９に上方から当接可能に配置され、これによって固定部材６０Ａのそれ以上の差し込み動作が確実に規制される。こうして固定部材６０Ａが収容部２６Ａに装着された状態では、ウェイト部６５Ａが係止部収容溝２８よりも後方に延出する部分を有する。このため、基板用コネクタ１０Ａの重心は、基板用コネクタ１０Ａの後側（フード部２１の開口端側と反対側）に位置することになる。その結果、コネクタハウジング２０の前端部（フード部２１の開口端部）が倒れるのがより良好に防止される。
【００３８】
＜他の実施形態＞
本発明は上記記述及び図面によって説明した実施形態に限定されるものではなく、例えば次のような実施形態も本発明の技術的範囲に含まれる。
（１）固定部材は、係止部の上方に実施形態１のウェイト部が延出し、係止部の後方に実施形態２のウェイト部が延出してなる形態であってもよい。
（２）屈曲部の厚みは、ウェイト部の加重分、薄くすることができる。屈曲部が薄くなることにより、屈曲部の曲げ加工が容易になる。
【符号の説明】
【００３９】
１０、１０Ａ…基板用コネクタ
２０…コネクタハウジング
２１…フード部
２６、２６Ａ…収容部
５０…端子金具
６０、６０Ａ…固定部材
６１…ハウジング取付部
６２…基板取付部
６４…係止部
６５、６５Ａ…ウェイト部
９０…基板（回路基板）
【図１】
0005741335.tif 000002
【図２】
0005741335.tif 000003
【図３】
0005741335.tif 000004
【図４】
0005741335.tif 000005
【図５】
0005741335.tif 000006
【図６】
0005741335.tif 000007
【図７】
0005741335.tif 000008
【図８】
0005741335.tif 000009
【図９】
0005741335.tif 000010
【図１０】
0005741335.tif 000011
【図１１】
0005741335.tif 000012
【図１２】
0005741335.tif 000013
【図１３】
0005741335.tif 000014
【図１４】
0005741335.tif 000015
【図１５】
0005741335.tif 000016
【図１６】
0005741335.tif 000017